(57)【要約】【課題】連窓や段窓などの複数の窓部を有した建具においても建て込み時の位置ずれや開口部の施工誤差を吸収可能で施工効率を向上させることができる位置決め部品および建具を提供すること。【解決手段】位置決め部品１０の当接部１５を切り取らずに縦枠８，９に当接させて位置決め状態としたり、一方の当接部１５を切り取り他方の当接部１５を切り取らずに縦枠８，９に当接させて半位置決め状態としたり、両方の当接部１５を切り取って位置調節状態としたりなど、窓部２の建て込み状態に応じて位置決めまたは位置調節の状態を適宜選択することができる。従って、建て込む際の位置ずれや開口部の施工誤差が生じていたりした場合でも、位置ずれや施工誤差を吸収することができ、方立３や縦枠８，９に加工を施して建て込み直さなくてもよいことから、施工効率を向上させることができる。【選択図】図７
2011099205.tif 000002
【特許請求の範囲】
【請求項１】
仕切材を介して左右または上下に隣り合って設けられる窓部を位置決めする位置決め部品であって、
前記窓部は、四周枠組みされた枠体と、この枠体内部に支持された面材とを有して構成されており、
前記仕切材の長手方向端部のうちの少なくとも一方の端部に固定される固定部と、
前記隣り合う窓部の枠体に各々当接可能な一対の当接部とを備え、
前記一対の当接部が切り取り可能に構成され、
前記一対の当接部を前記隣り合う窓部の枠体に各々当接させて位置決めした位置決め状態、
前記一対の当接部の一方を前記隣り合う窓部の一方の枠体に当接させて位置決めし、かつ他方の当接部を切り取って他方の枠体を位置調節可能とした半位置決め状態、
および前記一対の当接部の両方を切り取って隣り合う両方の枠体を位置調節可能とした位置調節状態
のいずれかの状態で取付可能に構成された位置決め部品。
【請求項２】
左右または上下に隣り合って設けられる少なくとも一対の窓部と、これらの窓部を仕切って上下または左右に延びる仕切材とを備えた建具であって、
請求項１に記載の位置決め部品が位置決め状態、半位置決め状態、または位置調節状態で前記仕切材に取り付けられている建具。
【請求項３】
左右または上下に隣り合って設けられる少なくとも３つ以上の窓部と、これらの窓部を仕切って上下または左右に延びる２本以上の仕切材とを備えた建具であって、
前記窓部は、四周枠組みされた枠体と、この枠体内部に支持された面材とを有して構成され、
前記仕切材の長手方向端部のうちの少なくとも一方の端部には、前記隣り合う窓部の枠体に各々当接可能な一対の当接部が予め形成された位置決め部品が取り付けられ、当該一対の当接部が切り取り可能に構成され、
前記仕切材のうち、少なくとも１本の仕切材に取り付けられる位置決め部品は、前記一対の当接部の一方を前記隣り合う窓部の一方の枠体に当接させて位置決めしかつ他方の当接部を切り取って他方の枠体を位置調節可能とした半位置決め状態、または前記一対の当接部の両方を切り取って隣り合う両方の枠体を位置調節可能とした位置調節状態で設けられ、
前記少なくとも１本の仕切材以外の他の仕切材に取り付けられる位置決め部品は、前記一対の当接部を前記隣り合う窓部の枠体に各々当接させて位置決めした位置決め状態で設けられている建具。
【請求項４】
前記仕切材は、左右に隣り合う前記窓部を仕切る方立であって、
前記位置決め部品は、前記方立の上下端部にそれぞれ取り付けられている請求項２または請求項３に記載の建具。
【請求項５】
前記仕切材の屋内側端部と前記隣り合う窓部の枠体とが固着具を介して互いに固定されるとともに、当該仕切材の屋外側に前記位置決め部品が取り付けられており、
前記位置決め部品には、前記仕切材の長手方向端部から当該長手方向外側に突出する突出部が形成され、この突出部によって前記隣り合う窓部に渡る止水手段が支持されている請求項２から請求項４のいずれかに記載の建具。
【発明の詳細な説明】
【技術分野】
【０００１】
本発明は、位置決め部品および建具に関し、詳しくは、仕切材を介して左右または上下に隣り合って設けられる窓部を位置決めする位置決め部品、この位置決め部品を備えた建具に関する。
【背景技術】
【０００２】
従来、枠体および面材を有した窓部が左右に隣り合って設けられ、これらの窓部同士を方立を介して連結した連窓が知られている（例えば、特許文献１参照）。
この連窓における窓部の縦枠には、建物開口部に取り付けるための取付片と、この取付片の基端部において見込み方向に突出する係合片とが予め形成されるとともに、係合片よりも外側で取付片が切り離し可能に構成されている。従って、取付片を介して建物開口部に縦枠を固定することもできるし、取付片を切り離すことで係合片を方立に係合させることもできるようになっており、共通の断面を有した縦枠を建物開口部および方立側の両方に用いて連窓が構成できるようになっている。
【先行技術文献】
【特許文献】
【０００３】
【特許文献１】特開平９−１００６７９号公報
【発明の概要】
【発明が解決しようとする課題】
【０００４】
しかしながら、特許文献１に記載された従来の連窓では、縦枠の取付片を切り離して係合片を方立に係合させることができるものの、予め形成された係合片の位置が変更不能であるため、方立の見付け方向に関して縦枠（窓部）の位置調節ができない。このため、連窓において複数の窓部を順次建て込んで固定する際の位置ずれや、建物開口部の施工誤差を吸収することができず、施工効率が低下してしまうという問題がある。
【０００５】
本発明の目的は、連窓や段窓などの複数の窓部を有した建具においても建て込み時の位置ずれや開口部の施工誤差を吸収可能で施工効率を向上させることができる位置決め部品および建具を提供することにある。
【課題を解決するための手段】
【０００６】
本発明の位置決め部品は、仕切材を介して左右または上下に隣り合って設けられる窓部を位置決めする位置決め部品であって、前記窓部は、四周枠組みされた枠体と、この枠体内部に支持された面材とを有して構成されており、前記仕切材の長手方向端部のうちの少なくとも一方の端部に固定される固定部と、前記隣り合う窓部の枠体に各々当接可能な一対の当接部とを備え、前記一対の当接部が切り取り可能に構成され、前記一対の当接部を前記隣り合う窓部の枠体に各々当接させて位置決めした位置決め状態、前記一対の当接部の一方を前記隣り合う窓部の一方の枠体に当接させて位置決めし、かつ他方の当接部を切り取って他方の枠体を位置調節可能とした半位置決め状態、および前記一対の当接部の両方を切り取って隣り合う両方の枠体を位置調節可能とした位置調節状態のいずれかの状態で取付可能に構成されたことを特徴とする。
【０００７】
また、本発明の建具は、左右または上下に隣り合って設けられる少なくとも一対の窓部と、これらの窓部を仕切って上下または左右に延びる仕切材とを備えた建具であって、前記位置決め部品が位置決め状態、半位置決め状態、または位置調節状態で前記仕切材に取り付けられていることを特徴とする。
【０００８】
ここで、本発明の位置決め部品を用いた建具としては、窓部が左右に隣り合って設けられて仕切材としての方立や縦骨で仕切られる連窓でもよく、窓部が上下に隣り合って設けられて仕切材としての無目や横材で仕切られる段窓でもよい。また、建具としては、連窓や段窓などの窓に限らず、カーテンウォールなどの壁面を構成するものでもよいし、店舗等の出入口周りの壁面やショーウィンドウなどを構成するものでもよい。
【０００９】
以上の本発明によれば、位置決め状態や、半位置決め状態、位置調節状態を選択して位置決め部品を仕切材に取り付けることで、窓部の枠体を位置決めしたり位置調節可能とすることができる。従って、窓部を建て込んだ際の位置ずれや開口部の施工誤差が生じたとしても、当接部の一方または両方を切り取って半位置決め状態または位置調節状態とすることで、位置ずれや施工誤差を吸収することができ、窓部の枠体や仕切材に加工を施して建て込み直さなくても建て込みが行えることから、施工効率を向上させることができる。一方、位置ずれや施工誤差がない場合には、位置決め部品を位置決め状態としたままで、窓部を所定位置に位置決めして建て込みを続行することができる。
【００１０】
また、位置決め部品の当接部を枠体に当接させて位置決めするか、または当接部を切り取って位置調節可能にすることで、このような当接部を仕切材や枠体に形成する場合と比較して、使用材料の節約および施工手間の軽減を図ることができる。すなわち、仕切材や枠体としては、アルミ形材等の金属製成形部材から構成されることが一般的であり、このような金属部材に当接部を設ける場合には、その全長に渡って当接部が形成されてしまうこととなり、切り取った場合の無駄が大きくなるとともに、切り取り手間が増大して施工効率が低下するという新たな問題が生じてしまう。これに対して本願発明のように、仕切材の端部に取り付けるピース材から構成可能な位置決め部品に当接部を形成しておくことで、当接部を切り取った際の無駄を最小限に抑えられるとともに、容易に切り取ることができて施工手間を軽減させることができ、施工効率をさらに向上させることができる。
【００１１】
また、本発明の建具は、左右または上下に隣り合って設けられる少なくとも３つ以上の窓部と、これらの窓部を仕切って上下または左右に延びる２本以上の仕切材とを備えた建具であって、前記窓部は、四周枠組みされた枠体と、この枠体内部に支持された面材とを有して構成され、前記仕切材の長手方向端部のうちの少なくとも一方の端部には、前記隣り合う窓部の枠体に各々当接可能な一対の当接部が予め形成された位置決め部品が取り付けられ、当該一対の当接部が切り取り可能に構成され、前記仕切材のうち、少なくとも１本の仕切材に取り付けられる位置決め部品は、前記一対の当接部の一方を前記隣り合う窓部の一方の枠体に当接させて位置決めしかつ他方の当接部を切り取って他方の枠体を位置調節可能とした半位置決め状態、または前記一対の当接部の両方を切り取って隣り合う両方の枠体を位置調節可能とした位置調節状態で設けられ、前記少なくとも１本の仕切材以外の他の仕切材に取り付けられる位置決め部品は、前記一対の当接部を前記隣り合う窓部の枠体に各々当接させて位置決めした位置決め状態で設けられたものでもよい。
【００１２】
このような本発明によれば、複数の仕切材のうち少なくとも１本における位置決め部品を半位置決め状態または位置調節状態とし、他の仕切材における位置決め部品を位置決め状態とすることで、施工手順に従って最後または後半に建て込む位置の仕切材の位置決め部品を位置調節可能にしておくことで、それ以前に生じた施工誤差を吸収することができる。従って、先に建て込む側の窓部を位置決めしながら建て込んでいき、最後または後半の窓部を建て込む際に位置ずれが生じていれば、その際に位置決め部品を半位置決め状態や位置調節状態とすることで、建て込みを続行することができ、手戻りがないことから施工効率を向上させることができる。そして、前述と同様に、仕切材の端部に取り付けるピース材から構成可能な位置決め部品に当接部を形成しておくことで、当接部を切り取った際の無駄を最小限に抑えられるとともに、容易に切り取ることができて施工手間を軽減させることができ、施工効率をさらに向上させることができる。
【００１３】
さらに、本発明の建具では、前記仕切材は、左右に隣り合う前記窓部を仕切る方立であって、前記位置決め部品は、前記方立の上下端部にそれぞれ取り付けられていることが好ましい。
このような構成によれば、前述したように効率的な施工によって連窓を構成することができる。特に、店舗などの壁面のように多くの窓部が左右に連続して設けられて左右方向の施工寸法が長い場合などでは、建て込み後半における施工誤差が大きくなってしまうことから、位置決め部品を半位置決め状態や位置調節状態として位置調節できることで、手直しや追加の加工が不要にでき、施工効率の飛躍的な向上が期待できる。
【００１４】
また、本発明の建具では、前記仕切材の屋内側端部と前記隣り合う窓部の枠体とが固着具を介して互いに固定されるとともに、当該仕切材の屋外側に前記位置決め部品が取り付けられており、前記位置決め部品には、前記仕切材の長手方向端部から当該長手方向外側に突出する突出部が形成され、この突出部によって前記隣り合う窓部に渡る止水手段が支持されていることが好ましい。
このような構成によれば、位置決め部品に形成した突出部によって止水手段を支持することで、隣り合う窓部に渡って安定的に止水手段を連続させることができ、隣り合う枠体が仕切材の位置で連続しなくても止水性能を確保することができる。なお、ここで止水手段としては、現場施工による湿式のシール材等であってもよいし、成形されたゴム製等の乾式のシール材等であってもよいし、金属製の水切り板などの部品であってもよく、このようなシール材や水切り板などを突出部で支持することで、シール材や水切り板などの変形を防止することができる。
【図面の簡単な説明】
【００１５】
【図１】本発明の実施形態に係る建具を示す正面図である。
【図２】前記建具を示す縦断面図である。
【図３】前記建具を示す横断面図である。
【図４】前記建具における方立部分を拡大して示す横断面図である。
【図５】前記方立部分を示す斜視図である。
【図６】前記方立に取り付けられる位置決め部品を示す斜視図である。
【図７】前記方立部分における位置調節状態を示す横断面図である。
【図８】前記位置調節状態を示す斜視図である。
【図９】前記建具の下部を拡大して示す縦断面図である。
【図１０】本発明の変形例に係る建具を示す正面図である。
【発明を実施するための形態】
【００１６】
以下、本発明の実施形態に係る建具としての連窓１を図面に基づいて説明する。
図１〜図３において、連窓１は、鉄筋コンクリート造集合住宅等の外壁開口部Ｏに設けられ、左右に隣り合って設けられる一対の窓部２，２と、これらの窓部２，２を仕切って上下に延びる仕切材としての方立３とを備えて構成されている。各窓部２は、枠体としての窓枠４と、この窓枠４内部に支持される面材としての室内外一対の障子５，５とを備えた引き違い窓であって、窓枠４は、それぞれアルミ形材製の上枠６、下枠７および左右の縦枠８，９を四周枠組みして形成されている。窓枠４において、上枠６および下枠７は、それぞれ外壁開口部Ｏの建物躯体ＳにアンカーＡおよび連結金物Ｆを介して連結され、図１、３中左側の窓部２における縦枠８および右側の窓部２における縦枠９は、建物躯体Ｓに連結金物Ｆを介して連結され、方立３側の縦枠８，９は、固着具であるビス３０によって方立３に固定されている。
【００１７】
方立３は、図４、図５に示すように、それぞれアルミ形材製の方立本体３１、その室内側の押縁材３２およびカバー材３３を備えて構成されている。方立本体３１は、見込み方向（室内外方向）に延びる見込み片３１１と、この見込み片３１１の室外側に連続して見付け方向（左右方向）に延びる見付け片３１２とを有して断面略Ｔ字形に形成されている。見込み片３１１の室内側端部には、見付け方向に交差する室内側見付け片３１３と、この室内側見付け片３１３から室内側に延びてＬ字形に折れ曲がった固定片３１４とが形成されている。また、見付け片３１２には、その室内側面から室内側に突出した２つの突出片３１５と、左右の先端部にて室内側に開口した２つの止水材保持部３１６とが形成され、止水材保持部３１６には、縦枠８，９に当接して止水可能な止水材（ＡＴ材）３４が取り付けられている。押縁材３２は、全体平板状に形成されるとともに、当該押縁材３２の左右方向略中央を貫通するビス３５を固定片３１４に螺合することで方立本体３１に固定され、押縁材３２の左右方向端部側を貫通するビス３０で縦枠８，９と固定されるようになっている。また、押縁材３２の左右両端部には、カバー材３３を係合する係合部３２１が形成されている。
【００１８】
縦枠８，９は、それぞれ見込み方向に延びる見込み片８１，９１と、この見込み片８１，９１の室外側に連続して見付け方向に延びる室外側見付け片８２，９２と、見込み片８１，９１の室内側に連続して見付け方向に延びる室内側見付け片８３，９３とを有して断面略Ｈ字形に形成されている。縦枠８，９において、室外側見付け片８２，９２の見付け方向外側の端部には、室内側に折り返した室外側折返し片８４，９４が形成され、室内側見付け片８３，９３の見付け方向外側の端部には、室外側に折り返した室内側折返し片８５，９５が形成されており、これら室外側および室内側の折返し片８４，８５，９４，９５と連結金物Ｆとが係合可能に構成されている。また、縦枠８の見込み片８１には、見付け方向内側に延びて室外側の障子５を引き寄せる引寄せ片８６と、室外側の障子５に当接可能な気密材を保持する気密材保持部８７とが形成されている。一方、縦枠９の見込み片９１には、見付け方向内側に延びて室内側の障子５を引き寄せるとともに気密材と当接可能な引寄せ片９６が形成されている。
【００１９】
方立３の上下端部における室外側には、縦枠８，９を見付け方向および見込み方向に位置決め可能な位置決め部品１０が取り付けられている。なお、ここでは、方立３の上端部に取り付けられる位置決め部品１０について説明するが、方立３の下端部には、同一の位置決め部品１０を上下反転して取り付ければよい。
位置決め部品１０は、樹脂製の一体成形品であって、図６に示すように、ブロック状の本体１１と、この本体１１から室内側に延びる水平面部１２と、この水平面部１２から下方に延びる固定部１３と、水平面部１２の室内側端縁から上方に延びる突出部１４と、水平面部１２の両側に沿って本体１１から室内側に延びる一対の当接部１５とを備えて構成されている。
【００２０】
位置決め部品１０における本体１１の見付け方向幅寸法は、方立３の止水材保持部３１６間に隙間なく挿入可能な寸法に設定されるとともに、本体１１の室外側側面には、方立３の２つの突出片３１５と各々係合可能な係合溝１６が形成され、これにより位置決め部品１０が方立３に対して見付け方向に位置決めされている。さらに、固定部１３がビス１０Ａによって見込み片３１１に固着されることで、位置決め部品１０が方立３に固定されるようになっている。また、本体１１の室内側側面１７は、所定の押圧力で縦枠８，９の室外側見付け片８２，９２に当接した際の止水材３４と略フラットになり、この室内側側面１７に室外側見付け片８２，９２が当接することで、位置決め部品１０を介して方立３によって縦枠８，９を見込み方向に位置決めできる。さらに、一対の当接部１５が縦枠８，９の室外側折返し片８４，９４に当接することで、位置決め部品１０を介して方立３によって縦枠８，９を見付け方向に位置決めできるようになっている（位置決め状態）。
【００２１】
また、位置決め部品１０の一対の当接部１５は、図７、８に示すように、切り取り可能になっており、このように当接部１５を切り取ることで、縦枠８，９を見付け方向に位置調節できるようになっている（位置調節状態）。具体的には、縦枠８，９の室外側折返し片８４，９４と位置決め部品１０の水平面部１２の側端縁との間には、図７に示すように寸法Ｌ１だけの隙間が形成されており、一方、室内側折返し片８５，９５と方立３の固定片３１４との間には、寸法Ｌ１よりも大きな寸法Ｌ２だけの隙間が形成されている。従って、窓部２は、縦枠８，９が方立３に接近する方向に向かって、最大寸法Ｌ１分だけの位置調節ができるようになっている。また、方立３から離れる方向に関しては、縦枠８の室外側見付け片８２，９２が位置決め部品１０の室内側側面１７から外れず、かつ室内側折返し片８５，９５がビス３０に当接する位置まで位置調節可能に構成されている。なお、一対の当接部１５のうちいずれか一方の当接部１５を切り取ってもよく、これにより縦枠８，９の一方を見付け方向に位置調節可能に、他方の室外側折返し片８４，９４を当接部１５に当接させて位置決めすることができる（半位置決め状態）。
【００２２】
また、方立３の下端部における位置決め部品１０は、図９に示すように、隣り合う窓部２，２の下枠７間に渡る止水手段の支持体としても機能するように構成されている。ここで、図９(Ａ)は、図３に矢視Ａ線で示す位置の断面図であり、図９(Ｂ)は、図３に矢視Ｂ線で示す位置の断面図である。下枠７は、図９(Ａ)に示すように、室内外の障子５，５を支持する支持レール７１，７２を有した下枠本体７Ａと、この下枠本体７Ａの室外側に設けられる止水手段としての水切り材７Ｂとを備えて構成されている。下枠本体７Ａは、その室外側において下方に垂下した垂下片７３を有して形成され、水切り材７Ｂは、室外側に下がる傾斜面部７４と、傾斜面部７４の室内側端部から立ち上がる立上り面部７５とを有して形成され、垂下片７３の室外側に立上り面部７５を当接させるとともに、これらをビス止め固定することで下枠本体７Ａに水切り材７Ｂが固定されている。さらに、立上り面部７５の室外側には、シール材７Ｃが下枠７の長手方向に連続して設けられており、下枠７と建物躯体Ｓとの間に雨水等が浸入しないようになっている。
【００２３】
以上のような連窓１の建て込み手順としては、外壁開口部Ｏにおける建物躯体Ｓの所定位置にアンカーＡを設置しておき、各窓部２における窓枠４を四周枠組みして形成するとともに、方立３側の縦枠８，９を除く各窓枠４の所定位置に連結金物Ｆを係合させて取り付けておく。この際、下枠７においては、水切り材７Ｂを別体とした下枠本体７Ａと縦枠８，９および上枠６とを四周枠組みしておく。そして、一対の窓部２，２のうち一方の窓枠４を外壁開口部Ｏに建て込み、アンカーＡと連結金物Ｆとを溶接固定して建物躯体Ｓに固定する。一方の窓枠４を固定したら、他方の窓部２側開口の左右方向内法を測定し、所定の建て込み位置に一方の窓枠４が固定されているか否かを判断する。
【００２４】
一方の窓枠４が所定位置に固定されていた場合には、一対の当接部１５を切り取らないで位置決め部品１０を方立３の上下両端部に取り付け、この方立３を一方の窓枠４の縦枠８（または縦枠９）に沿って建て込み、一方の当接部１５を室外側見付け片８２（または室外側見付け片９２）に当接させて位置決めする。その後、他方の窓枠４を建て込み、縦枠９（または縦枠８）の室外側見付け片９２（または室外側見付け片８２）を他方の当接部１５に当接させて位置決めする。このように位置決めした状態で、方立３側の縦枠８，９と押縁材３２とをビス３０で固定するとともに、他方の窓枠４の連結金物ＦをアンカーＡに溶接して他方の窓枠４を固定する。
【００２５】
また、一方の窓枠４が所定位置に固定されておらず、他方側に寄った位置に固定されていた場合には、一対の当接部１５のうちの一方または両方を切り取った位置決め部品１０を方立３の上下両端部に取り付け、この方立３を一方の窓枠４の縦枠８（または縦枠９）に沿って建て込む。その後、他方の窓枠４を建て込み、方立３および他方の窓枠４を適宜に位置決めした状態で、方立３側の縦枠８，９と押縁材３２とをビス３０で固定するとともに、他方の窓枠４の連結金物ＦをアンカーＡに溶接して他方の窓枠４を固定する。
【００２６】
以上のようにして一方および他方の窓枠４および方立３を外壁開口部Ｏに固定したら、上枠６、下枠７および建物躯体Ｓ側の縦枠８，９と建物躯体Ｓとの間にモルタル等の充填材を充填するとともに、下枠本体７Ａの室外側に水切り材７Ｂを取り付けてシール材７Ｃを四周連続して設置する。さらに、室内側において、上枠６、下枠７および建物躯体Ｓ側の縦枠８，９に室内部材を取り付けるとともに、方立３のカバー材３３を押縁材３２に係合させて取り付ける。その後、各窓枠４に障子５を建て込みむとともに、室内側の内装材を設置するなどして連窓１の施工が完了する。
【００２７】
以上の実施形態によれば、位置決め部品１０の当接部１５を切り取らずに縦枠８，９に当接させて位置決め状態としたり、一方の当接部１５を切り取り他方の当接部１５を切り取らずに縦枠８，９に当接させて半位置決め状態としたり、両方の当接部１５を切り取って位置調節状態としたりなど、窓部２の建て込み状態に応じて位置決めまたは位置調節の状態を適宜選択することができる。従って、一方の窓部２を建て込んでから他方の窓部２を建て込む際の位置ずれがあったり、外壁開口部Ｏの施工誤差が生じていたりした場合でも、位置決め部品１０を半位置決め状態や位置調節状態とすることで、位置ずれや施工誤差を吸収することができる。これにより、方立３や縦枠８，９に加工を施して建て込み直さなくてもよいことから、施工効率を向上させることができるとともに、位置ずれや施工誤差がない場合には、位置決め部品１０を位置決め状態としたままで、窓部２を所定位置に位置決めして建て込みを続行することができ、優れた施工効率が確保できる。
【００２８】
なお、本発明は、前記実施形態に限定されるものではなく、本発明の目的を達成できる他の構成等を含み、以下に示すような変形等も本発明に含まれる。
例えば、前記実施形態では、建具として、一対（２つ）の窓部２，２が左右に隣り合って設けられた連窓１を例示したが、本発明の建具は、３つ以上の窓部を備えたものであってもよい。また、本発明の建具は、連窓１に限らず、複数の窓部が上下に隣り合って設けられた段窓であってもよい。
また、前記実施形態では、窓部２が引違い窓で構成されたものを例示したが、窓部は引違い窓に限らず、片引き窓や上げ下げ窓、開き窓などの各種開閉形式を有する窓であってもよいし、面材としてのガラス板等が開閉不能に支持された嵌め殺し窓であってもよい。さらに、複数の窓部において、各々が異なる開閉形式で構成されてもよいし、開閉可能な窓部と開閉不能な窓部とが混在するように構成されていてもよい。
【００２９】
また、３つ以上の窓部を備えた連窓の一例として、図１０に示す連窓１Ａについて説明する。
連窓１Ａは、左右に隣り合って設けられる３つの窓部２Ａ，２Ｂ，２Ｃと、これらの窓部２Ａ，２Ｂ，２Ｃを仕切る仕切材としての２本の方立３Ａ，３Ｂとを備えて構成されている。窓部２Ａは、前記窓部２と同様に、窓枠４と室内外一対の障子５，５とを備えた引き違い窓であって、窓部２Ｂ，２Ｃは、窓枠４内部に移動不能に支持される面材としての固定ガラス５Ａを備えた嵌め殺し窓である。方立３Ａ，３Ｂは、前記実施形態と同様の構成を備え、これらの方立３Ａ，３Ｂの上下端部には、位置決め部品１０が取り付けられている。このような連窓１Ａにおいて、建物開口部に対して窓部２Ａから窓部２Ｂ、窓部２Ｃの順で建て込む場合には、方立３Ａの上下の位置決め部品１０を位置決め状態とし、方立３Ｂの上下の位置決め部品１０を半位置決め状態または位置調節状態として最後の窓部２Ｃを建て込むことで、窓部２Ｃの建て込みの際に位置ずれや施工誤差を吸収することができる。一方、窓部２Ｃから建て込む場合には、方立３Ａの上下の位置決め部品１０を半位置決め状態または位置調節状態とすればよい。
【００３０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３１】
１…連窓（建具）、２…窓部、３…方立（仕切材）、４…窓枠（枠体）、５…障子（面材）、７Ｂ…水切り材（止水手段）、１０…位置決め部品、１３…固定部、１４…突出部、１５…当接部。
【図１】
2011099205.tif 000003
【図２】
2011099205.tif 000004
【図３】
2011099205.tif 000005
【図４】
2011099205.tif 000006
【図５】
2011099205.tif 000007
【図６】
2011099205.tif 000008
【図７】
2011099205.tif 000009
【図８】
2011099205.tif 000010
【図９】
2011099205.tif 000011
【図１０】
2011099205.tif 000012